(57)【特許請求の範囲】
【請求項１】
マッサージ椅子の背もたれ部にマッサージ手段を設け、クッション部材を内装した上クッション部の下端とクッション部材を内装した下クッション部の上端を折れ目となる連結部を介して連結してクッションを構成し、上記上クッション部の上部にクッション部材を内装していない薄肉の折り曲げ可能部を設けて、上記背もたれ部の上端部に上記折り曲げ可能部の上端部を取付けて、上記上クッション部の表面及び上記下クッション部の表面が露出した状態で上記クッションを上記背もたれ部の前面に重複する形態と、上記上クッション部を上記背もたれ部の裏面側に位置させて該上クッション部を上記折り曲げ可能部で折り返すことで、上記上クッション部材のクッション部材を内装した部分の表面を上記背もたれ部の裏面側において露出させると共に、上記背もたれ部の頂部部分において上記連結部で折ることで上記下クッション部を表面が露出するように上記背もたれ部の前面上部に位置させて枕とする形態とを選択できるようにして成ることを特長とするクッションを備えたマッサージ椅子。
【請求項２】
クッションを背もたれ部の前面に重複しない非重複状態でクッションの下部を背もたれ部の前面上部に位置させて枕とする形態において、クッションの下部の枕となる部分を背もたれ部の上部に固定するための固定手段を設けて成ることを特徴とする請求項１記載のクッションを備えたマッサージ椅子。
【請求項３】
背もたれ部の上部へのクッション下部の枕となる部分の固定位置を上下方向に調整可能として成ることを特徴とする請求項２記載のクッションを備えたマッサージ椅子。
【発明の詳細な説明】
【技術分野】
【０００１】
本発明は、マッサージ椅子、更に詳しくは、背もたれ部にマッサージ手段を備えたマッサージ椅子において、背もたれ部にクッションを重ねてソファーのようにして使用する形態と、クッションに邪魔されることなくマッサージ手段によりマッサージが出来る形態とを選択できるようにしたクッションを備えたマッサージ椅子に関するものである。
【背景技術】
【０００２】
従来から背もたれ部にマッサージ手段を有したマッサージ椅子において、背もたれ部の前面上部に枕を設けるものが知られている。例えば特許文献１参照。
【０００３】
このようにマッサージ手段を設けたマッサージ椅子において、上記のように枕を設けることで、利用者は背もたれ部にもたれ且つ枕に頭を当てるというマッサージに適した姿勢で背もたれ部に設けたマッサージ手段によりマッサージを効果的に行うことができるようになっている。
【０００４】
しかしながら、マッサージ椅子の背もたれ部の前面にはマッサージ手段である施療子を覆う薄い表面シートが露出しており、この薄い表面シートは施療子の上下、左右、前後の移動によって背もたれ部にもたれた利用者へのマッサージを可能とするため、薄くて弛みを持ち且つ施療子による凹凸が表面に現れるようになっており、また、背もたれ部の前面上部には前述のように枕が存在する。このように、マッサージ椅子は、上記弛みを有し且つ施療子による凹凸が表示に表れる薄い表面シートと、背もたれ部前面上部の枕部とが表面に現れるため、背もたれ部の外観が通常のソファーのような外観とならず、また、マッサージをしない時にマッサージ椅子に座った場合、表面シートを介して施療子による凹凸部分が利用者の背中に当って通常のソファーに座ったようなクッション性が得られず、ソファーとしての座り心地が悪いという問題がある。
【特許文献１】特開２００５−３４９１３６号公報
【発明の開示】
【発明が解決しようとする課題】
【０００５】
本発明は上記の従来の問題点に鑑みて発明したものであって、マッサージ椅子として利用する時は頭を枕にもたれさせた状態で背もたれ部に設けたマッサージ手段によるマッサージがクッションに邪魔されることなく支障なくできると共に、マッサージ椅子として利用しない時はマッサージ手段による前面の凹凸の影響を受けることなく普通のソファーと同様のクッション性に優れ且つ外観も普通のソファーと同様の外観にでき、また、部品点数が削減できてコストダウンが図れるクッションを備えたマッサージ椅子を提供することを課題とするものである。
【課題を解決するための手段】
【０００６】
上記課題を解決するために本発明に係るクッションを備えたマッサージ椅子は、マッサージ椅子１の背もたれ部２にマッサージ手段３を設け、クッション部材１４を内装した上クッション部４ａの下端とクッション部材１４を内装した下クッション部４ｂの上端を折れ目６となる連結部を介して連結してクッション４を構成し、上記上クッション部４ａの上部にクッション部材１４を内装していない薄肉の折り曲げ可能部１５を設けて、上記背もたれ部２の上端部に上記折り曲げ可能部１５の上端部を取付けて、上記上クッション部４ａの表面及び上記下クッション部４ｂの表面が露出した状態で上記クッション４を上記背もたれ部２の前面に重複する形態と、上記上クッション部４ａを上記背もたれ部２の裏面側に位置させて該上クッション部４ａを上記折り曲げ可能部１５で折り返すことで、上記上クッション部４ａのクッション部材１４を内装した部分の表面を上記背もたれ部２の裏面側において露出させると共に、上記背もたれ部２の頂部部分において上記連結部で折ることで上記下クッション部４ｂを表面が露出するように上記背もたれ部２の前面上部に位置させて枕８とする形態とを選択できるようにして成ることを特長とするものである。
【０００７】
このような構成とすることで、マッサージ椅子１として使用する際は、クッション４を上に跳ね上げて、クッション４の下部を背もたれ部２の前面上部に位置させて枕８とすることで、マッサージ椅子１に座った利用者は、背もたれ部２にもたれると共に枕８に頭を当てた状態で、クッション４に邪魔されることなく背もたれ部２に設けたマッサージ手段３により効果的にマッサージができるものであり、一方、マッサージ椅子１として利用しない場合は、クッション４を背もたれ部２の前面に重複させることで、背もたれ部２に設けたマッサージ手段３による前面の凹凸の影響を無くして、普通のソファーと同様のクッション性を得ることができ、同時にこのクッション４を背もたれ部２の前面に重複させた状態では、マッサージ椅子１として利用する際に枕となる部分５が背もたれ部２の前面に重なるクッション４の下部を構成することになって、背もたれ部２の前面上部に枕が突出しない普通のソファーと同様の外観となる。また、背もたれ部２のクッション材となる部材と枕８となる部材とを一つのクッション４で兼用できる。
【０００９】
そして、クッション４の下部の枕となる部分５とその上部との境界に折れ目６を備えることで、マッサージ椅子１として使用する際にクッション４を上に跳ね上げて、クッション４の下部を背もたれ部２の前面上部に位置させて枕８とするに当り、背もたれ部２の頂部部分において上記折れ目６部分でクッション４を折ることで、簡単且つ確実にクッション４の下部を背もたれ部２の前面上部に位置させて枕８とすることができる。更に、折り曲げ可能部１５を設けると共に、下クッション部４ｂを枕８として利用する際に上クッション部４ａを折り曲げ可能部１５で折り返して背もたれ部２の裏面上部に位置させることで、クッション４の裏面側（裏生地１２）を外観に露出させずに上記枕８とする形態にすることができる。
【００１０】
また、クッション４を背もたれ部２の前面に重複しない非重複状態でクッション４の下部を背もたれ部２の前面上部に位置させて枕８とする形態において、クッション４の下部の枕となる部分５を背もたれ部２の上部に固定するための固定手段７を設けることが好ましい。
【００１１】
このような構成とすることで、マッサージ椅子１として使用する際にクッション４を上に跳ね上げて、クッション４の下部を背もたれ部２の前面上部に位置させて枕８とするに当り、固定手段７で固定することで、枕８の位置ずれを防止し、枕８に頭を当てて安定した姿勢でマッサージを行うことができる。
【００１２】
また、背もたれ部２の上部へのクッション４下部の枕となる部分５の固定位置を上下方向に調整可能とすることが好ましい。
【００１３】
このような構成とすることで、マッサージ椅子１として使用する際にクッション４を上に跳ね上げて、クッション４の下部を背もたれ部２の前面上部に位置させて枕８とするに当り、枕となる部分５の固定位置を上下方向に調整して利用者の身長にあわせて最適の枕８位置とすることができ枕８に頭を当てて安定した姿勢でマッサージを行うことができる。
【発明の効果】
【００１４】
本発明は、背もたれ部の上端部に取付けたクッションを背もたれ部の前面に重複する形態と、クッションを背もたれ部の前面に重複しない非重複状態においてクッションの下部を背もたれ部の前面上部に位置させて枕とする形態とを選択できるようにしてあるので、マッサージ椅子として使用する時は、クッションの下部を背もたれ部の前面上部に位置させて枕とすることで、枕に頭を当てて安定した状態で、クッションに邪魔されることなく背もたれ部に設けたマッサージ手段により効果的にマッサージができ、また、マッサージ椅子として使用しない場合は、クッションを背もたれ部の前面に重複させて背もたれ部に設けたマッサージ手段による前面の凹凸の影響を無くして、普通のソファーと同様のクッション性を得て快適に座ることができると共に、背もたれ部の前面上部に枕が無くなって普通のソファーと同様の外観となって外観が向上し、更に、一つのクッションで背もたれ部のクッション材となる部材と枕とを兼用できて部品点数が削減できてコストダウンが図れる。
【発明を実施するための最良の形態】
【００１５】
以下、本発明を添付図面に示す実施形態に基いて説明する。
【００１６】
図１にはマッサージ椅子１が示してあり、マッサージ椅子１には座部９と背もたれ部２と肘掛部１０とが備わっている。本発明のマッサージ椅子１の背もたれ部２にはマッサージ手段３が設けてある。なお、本発明においては、背もたれ部２にマッサージ手段３を設けることに加えて、マッサージ椅子１の他の部分にもマッサージ手段３が設けてあってもよい。
【００１７】
背もたれ部２に設けたマッサージ手段３としては、例えば、図２に示す実施形態では左右一対の施療子３ａよりなり、該左右一対の施療子３ａが上下方向、左右方向、前後方向に動作自在に構成してあり、この施療子３ａの上記動作によりマッサージ椅子１に座った利用者に対してマッサージを行うようになっている。もちろん、上記例にのみ限定されず、膨張収縮するエアバックを背もたれ部２に設けてマッサージ手段３としてもよい。
【００１８】
背もたれ部２の上端部にはクッション４の上端部が取付けてある。背もたれ部２の上端部にクッション４を取付けるには縫着等により固着してもよく、あるいは、面状ファスナーなどを用いて着脱自在に取付けてもよい。添付図面においては着脱自在に取付けた例を示している。
【００１９】
背もたれ部２の上端部に上端部を取付けたクッション４は垂らして図１に示すように、背もたれ部２の前面に重複して背もたれ部２の前面のほぼ全面を覆う形態と、跳ね上げて図２に示すようにクッション４を背もたれ部２の前面に重複しない非重複状態においてクッション４の下部を背もたれ部２の前面上部に位置させて枕８とする形態との２つの異なる使用形態を選択できるようになっている。
【００２０】
クッション４の下部は上記のように跳ね上げて背もたれ部２の前面上部に位置させて枕８を構成するための枕となる部分５となっており、このクッション４の下部の枕となる部分５とその上部との境界が折れ目６となっており、クッション４はこの折れ目６部分を境にして折り曲げができるようになっている。
【００２１】
図３にはクッション４の一例が示してある。クッション４は上クッション部４ａと下クッション部４ｂとに上下に分かれており、この上クッション部４ａと下クッション部４ｂとの連結部が凹んだ谷部となっていてこの部分が折れ目６部分を構成している。上クッション部４ａ、下クッション部４ｂとも表皮１１と裏生地１２と表皮マチ部１３により外面が覆われている。表皮１１の裏面には綿１９が裏打ちしてあり、綿１９と裏生地１２との間にウレタンのようなクッション部材１４が内装してある。上クッション部４ａ、下クッション部４ｂのいずれにおいてもクッション部材１４は前面側が上下方向の略中央部が最も突出するような弧状をした凸部となっており、また、上クッション部４ａの上端部においては内部にクッション部材１４が内装してなくて表皮１１、綿１９、裏生地１２の３層構造をした薄肉の折り曲げ可能部１５となっている。更に、上クッション部４ａの最上端部には雄又は雌の面状ファスナー１６が設けてあり、該面状ファスナー１６を背もたれ部２の上端部に設けた雌又は雄の面状ファスナー（図示せず）に着脱自在に取付けるようになっている。
【００２２】
また、下クッション部４ｂの裏生地１２には雄又は雌の面状ファスナー１７が設けてある。
【００２３】
また、背もたれ部２の前面上部には雌又は雄の面状ファスナー１８が設けてある。
【００２４】
上記のような構成のマッサージ椅子１は、マッサージを行う際（つまり、マッサージ椅子１として使用する際）は、図２に示すように、クッション４を上に跳ね上げて、クッション４の下部を背もたれ部２の前面上部に位置させて枕８とするのであるが、この場合、背もたれ部２の頂部部分において上記折れ目６部分でクッション４を折ってクッション４の下部の枕となる部分５（下クッション部４ｂ）を背もたれ部２の前面上部に位置させて枕８を形成するものである。この場合、クッション４の上部の上クッション部４ａは背もたれ部２の裏面側に位置するが、この上クッション部４ａを折り曲げ可能部１５で折り返すことで図２に示すように跳ね上げたクッション４の上クッション部４ａは背もたれ部２の裏面上部に位置させると共に下クッション部４ｂ（枕となる部分５）を背もたれ部２の前面上部に位置させることができることになる。下クッション部４ｂ（枕となる部分５）を背もたれ部２の前面上部に位置させた状態で固定手段７により固定する。添付図面に示す実施形態では、下クッション部４ｂに設けた雄又は雌の面状ファスナー１７を背もたれ部２の前面上部に設けた雌又は雄の面状ファスナー１８に着脱自在に固定するもので、本実施形態では上記面状ファスナー１７、１８により固定手段７を構成している。
【００２５】
このようにしてクッション４を上に跳ね上げて背もたれ部２の表面シート２０を露出させると共にクッション４の下部を背もたれ部２の前面上部に位置させて枕８とした状態で、利用者がマッサージ椅子１に座り、背もたれ部２に背中を持たれかけると共に頭を枕８に当て、背もたれ部２に設けたマッサージ手段３を動作させてマッサージを行うものである。
【００２６】
この際、クッション４を上に跳ね上げて背もたれ部２の表面シート２０を露出させた状態でマッサージを行うことができるので、施療子のようなマッサージ手段３によるマッサージに当ってクッション４が邪魔にならず（つまり、クッション４の厚みでマッサージ効果が失われることがなく）、通常のマッサージ椅子と同様に効果的にマッサージができる。また、クッション４の下部で枕８を構成して該枕８に頭を支持させた状態でマッサージができるので、利用者の身体を安定して支えた状態でマッサージができることになる。
【００２７】
一方、マッサージ椅子１として利用しない場合は、図１に示すように、クッション４を背もたれ部２の前面に重複させて普通のソファーとして使用する。この場合、マッサージ手段３を設けた背もたれ部２がクッション４により覆われることで、背もたれ部２に設けたマッサージ手段３による前面の凹凸の影響を無くして、普通のソファーと同様のクッション性を得ることができる。また同時にこのクッション４を背もたれ部２の前面に重複させた状態では、マッサージ椅子１として利用する際に枕となる部分５が背もたれ部２の前面に重なるクッション４の下部を構成することになって、背もたれ部２の前面上部に枕が突出しない普通のソファーと同様の外観となる。
【００２８】
ところで、背もたれ部２の上部へのクッション４下部の枕となる部分５の固定位置を上下方向に調整可能にすると、枕となる部分５の固定位置を上下方向に調整して利用者の身長にあわせて最適の枕８位置とすることができ枕８に頭を当てて安定した姿勢でマッサージを行うことができる。
【００２９】
背もたれ部２の上部へのクッション４下部の枕となる部分５の固定位置を上下方向に調整可能にするに当っては、例えば、図２の実施形態のように固定手段７を構成する面状ファスナー１７、１８のうち、いずれか一方、又は両方を相互の着脱係止位置を上下方向において調整できるように上下に長く形成する。勿論、これ以外の固定手段７において固定位置を上下方向に調整可能にしてもよいものである。
【００３０】
また、背もたれ部２の上端部にはクッション４の上端部を取付けたものにおいては、クッション４が損傷したり、汚れた場合に新しいクッション４との交換等が容易にできる。
【図面の簡単な説明】
【００３１】
【図１】本発明のマッサージ椅子としての使用時の斜視図である。
【図２】同上のソファーとしての使用時の斜視図である。
【図３】同上に用いるクッションの一部破断した斜視図である。
【符号の説明】
【００３２】
１  マッサージ椅子
２  背もたれ部
３  マッサージ手段
４  クッション
５  枕となる部分
６  折れ目
【図１】
0004661700.tif 000002
【図２】
0004661700.tif 000003
【図３】
0004661700.tif 000004